(57)【要約】皮膚との直接の接触を行なうために、様々な着用可能な生地で使用するための伝導性のメッシュに従来の手法を用いて、縫い込み、織り、又は編み込むことができる流体を進めるファイバーが提供される。この流体を進めるファイバーは、内部の部分及び外部の部分と、その外部の部分に隣接する一つ以上の伝導要素とを有し、一つ以上の伝導要素は、電流によって加熱される場合に圧縮し、冷却された場合に緩和するように適応される。流体を進めるファイバーは、異なる着用可能な生地と皮膚との間の快適な流体の伝達を容易にする。
2005531697.tif 000002
【特許請求の範囲】
【請求項１】
内部の部分及び外部の部分を有するファイバーと、
前記ファイバーの前記外部の部分に隣接する一つ以上の第一の伝導要素と、を有し、
前記一つ以上の第一の伝導要素は、電流によって加熱される場合に圧縮し、冷却される場合に緩和するように適応されることを特徴とする流体を進めるファイバー。
【請求項２】
前記内部の部分は、該内部の部分を通って流体を進ませるように中空であることを特徴とする請求項１に記載の流体を進めるファイバー。
【請求項３】
前記内部の部分は、最低限の抵抗で該内部の部分を通って流体又は物質を進ませるように十分な浸透性であることを特徴とする請求項１に記載の流体を進めるファイバー。
【請求項４】
前記内部の部分は、該内部の部分中の前記流体が皮膚に浸透し相互作用させるように十分な浸透性であることを特徴とする請求項２に記載の流体を進めるファイバー。
【請求項５】
前記一つ以上の第一の伝導性要素は、前記内部の部分を通って前記流体又は物質を進めるための前記要素の圧縮及び緩和を調整するために選択的に加熱及び冷却されるように適応されることを特徴とする請求項４に記載の流体を進めるファイバー。
【請求項６】
前記外部の部分は、一つ以上のアンデュレーションを有することを特徴とする請求項４に記載の流体を進めるファイバー。
【請求項７】
一つ以上の第二の伝導性要素をさらに有することを特徴とする請求項６に記載の流体を進めるファイバー。
【請求項８】
前記一つ以上の第一の伝導要素は、前記一つ以上のアンデュレーションに隣接することを特徴とする請求項７に記載の流体を進めるファイバー。
【請求項９】
前記一つ以上のアンデュレーションは、離れて相次いで間を置いて配置されることを特徴とする請求項８に記載の流体を進めるファイバー。
【請求項１０】
前記一つ以上の第二の伝導要素は、前記一つ以上のアンデュレーション間の前記距離に沿って前記外部の部分と隣接することを特徴とする請求項９に記載の流体を進めるファイバー。
【請求項１１】
前記一つ以上の第二の伝導要素は、電流によって加熱される場合に圧縮し、冷却される場合に緩和するように適応されることを特徴とする請求項１０に記載の流体を進めるファイバー。
【請求項１２】
前記一つ以上の第一の伝導要素及び前記一つ以上の第二の伝導要素は、前記内部の部分を通って前記流体又は物質を進めるための前記要素の圧縮及び緩和を調整するために選択的に加熱及び冷却されるように適応され、及び／又は前記皮膚と相互作用するために前記外部の部分を通って選択的に前記流体又は物質を放出するように適応されることを特徴とする請求項１１に記載の流体を進めるファイバー。
【請求項１３】
ファイバーを通って流体又は物質を循環させる方法であって、該方法は、
内部の部分、外部の部分及び前記外部の部分に隣接する一つ以上の第一の伝導要素と、を有するファイバーの提供を有し、該一つ以上の第一の伝導要素は、電流によって加熱される場合に圧縮し、冷却される場合に緩和されるように適応され、
該方法は、
前記要素の前記圧縮及び緩和を調整するために前記一つ以上の第一の伝導要素を選択的に加熱及び冷却することによって、前記ファイバーの前記内部の部分を通って前記流体又は物質を進めることを有することを特徴とするファイバーを通って流体又は物質を循環させる方法。
【請求項１４】
前記内部の部分は、最小限の抵抗で該内部の部分を通って流体又は物質を進ませるように十分な浸透性であり、前記外部の部分は、前記内部の部分中の前記流体が前記皮膚に浸透し相互作用させるように十分な浸透性であることを特徴とする請求項１３に記載のファイバーを通って流体又は物質を循環させる方法。
【請求項１５】
前記一つ以上の第一の伝導要素は、該要素の前記圧縮及び緩和を調整するために選択的に加熱及び冷却されるように適応されることを特徴とする請求項１４に記載のファイバーを通って流体又は物質を循環させる方法。
【請求項１６】
一つ以上の第二の伝導要素を提供し、一つ以上のアンデュレーションを備える前記外部の部分を提供するステップをさらに有することを特徴とする請求項１５に記載のファイバーを通って流体又は物質を循環させる方法。
【請求項１７】
前記一つ以上の第一の伝導要素は、前記一つ以上のアンデュレーションに隣接し、前記一つ以上のアンデュレーションは離れて相次いで間を置いて配置されることを特徴とする請求項１６に記載のファイバーを通って流体又は物質を循環させる方法。
【請求項１８】
前記一つ以上の第二の伝導要素は、前記一つ以上のアンデュレーション間の前記距離に沿って前記外部の部分と隣接することを特徴とする請求項１９に記載のファイバーを通って流体又は物質を循環させる方法。
【請求項１９】
前記一つ以上の第二の伝導要素は、前記アンデュレーションをフロー・バルブとして作用させ前記一つ以上の第一の伝導要素が選択的に加熱される場合に、前記一つ以上の第二の伝導要素は、ある距離から前記内部の部分を通って前記流体又は物質を進めて、及び／又は前記皮膚と相互作用する前記外部の部分を通って選択的に前記流体又は物質を放出する圧縮及び緩和するために調整的に加熱及び冷却されるようにして、電流によって加熱される場合に圧縮し、冷却される場合に緩和するように適応されることを特徴とする請求項１８に記載のファイバーを通って流体又は物質を循環させる方法。
【請求項２０】
前記第一の一つ以上の伝導要素及び前記第二の伝導要素の前記調整された圧縮作用は、一つ以上の流体又は物質部分を進めさせることを特徴とする請求項１９に記載のファイバーを通って流体又は物質を循環させる方法。
【発明の詳細な説明】
【技術分野】
【０００１】
本発明はファイバー構造に関する。より詳細には、本発明は、様々なタイプの着用可能な生地で使用可能な柔軟で流体を進めるファイバー（fluid-advancing fiber）に関する。
【背景技術】
【０００２】
繊維産業において様々な着用可能な生地と化粧品、医学又は健康及びフィットネスの有効成分を組み合わせることが既知である。さらに、体温調節システムを備えた、異なる着用可能な生地を提供することが既知である。典型的には、これらの着用可能な生地は、一つ以上のファイバーに接続された、カプセルに入れられた流体又は物質を使用し、着用又は摩擦接触によって皮膚と相互作用するように形成される。これらの二つの機能を兼ねた生地に関連した重大な欠点は、そこで比較的短い（典型的には３０乃至４０回の洗濯回数）有効期限である。結果として、着用可能な生地中の柔軟なファイバー・ネットワークを通って流体若しくは物質を有効に保持するか又は進めるためのより永続的なシステムを必要とする。
【発明の開示】
【発明が解決しようとする課題】
【０００３】
本発明の目的は、着用可能な生地で使用するための改善されたファイバーを提供することである。
【０００４】
本発明の別の目的は、皮膚との快適な接触を容易にするために形成された前述のようなファイバーを提供することである。
【０００５】
本発明の別の目的はまた、ファイバーを通って流体を進めるために形成された、前述のような流体を進めるファイバーを提供することである。
【０００６】
本発明のさらにまた別の目的は、従来の方法によって織り、編み込み及び／又は縫い込むことができる、前述のような流体を進めるファイバーを提供することである。
【０００７】
本発明のまた別の目的は、様々な着用可能な生地の全体にわたる流体の有効で効率的な前進を促進するために適応された前述のような流体を進めるファイバーを提供することを目的とする。
【０００８】
本発明のさらに別の目的は、着用可能な生地とユーザの皮膚との間の流体の有効で効率的な伝達を促進するために適応された前述のような流体を進めるファイバーを提供することを目的とする。
【０００９】
本発明のさらにまた別の目的は、化粧品、医学、健康及びフィットネスの有効成分並びに／又は体温調節システムを統合する、着用可能な生地の快適さを増し、有効期限を引き伸ばす、前述のような流体を進めるファイバーを提供することを目的とする。
【課題を解決するための手段】
【００１０】
本発明の前述及び他の目的並びに利点は、本発明の流体を進めるファイバーによって達成される。この流体を進めるファイバーは、内部の部分及び外部の部分と、その外部の部分に隣接する一つ以上の伝導要素とを有し、一つ以上の伝導要素は、電流によって加熱される場合に圧縮し、冷却される場合に緩和するように適応される。これらの流体を進めるファイバーは、永続的に柔軟で快適な着用可能な生地を形成するために、織り、編み込み又は縫い合わせを含む如何なる既知の従来法を使用してからみ合わせることができる。
【００１１】
本発明は、添付図と組み合わせた好ましい実施態様の下記の詳細な記載を参照することによってより完全に理解される。
【発明を実施するための最良の形態】
【００１２】
添付図、特に図１及び２を参照するに、参照番号１０によって一般的に示される本発明の第一の実例となる実施態様と一致する改善されたファイバーが示される。好ましくは、流体を進めるファイバー１０は、内部の部分２０及び外部の部分３０と、その外部の部分３０に隣接する伝導要素４０とを有し、一つ以上の伝導要素４０は、電流によって加熱される場合に圧縮し、冷却された場合に緩和するように適応される。
【００１３】
図２を参照するに、好ましくは、内部の部分２０は、流体若しくは物質がその内部の部分を通って、通過又は進ませるように中空である。内部の部分２０が最小限の抵抗で流体又は物質が内部の部分を通って進ませるように十分な浸透性若しくは孔隙率を有し、内部の部分の選択的な圧縮をさせる十分な柔軟性を有する固体物質であり得ることに注意する。好ましくは、内部の部分２０は、流体又は物質が内部の部分に保持でき及び／又は内部の部分を通って進めることができるように外部の部分３０によって囲まれる。したがって、好ましくは、内部の部分２０は、一つ以上の流体を進めるファイバー１０を組み込む如何なる着用可能な生地を通って、流体若しくは物質を有効で効率的に保持し及び／又は進めるための通路を提供する。内部の部分２０が中空である必要なないが、流体が内部の部分を通って進められることを可能にする如何なる多孔性の物質であり得ることを注意する。
【００１４】
好ましくは、外部の部分３０は、皮膚と内部の部分２０中の流体又は物質との選択的な伝達をさせるために十分な浸透性であるか、若しくは多孔性である。外部の部分３０は、内部の部分２０中の流体又は物質の選択的な放出のための十分な浸透を提供し、組立及び着用中における十分な強度と柔軟性を提供する、如何なる適切な物質で成すことができる。したがって、外部の部分３０は、好ましくは、皮膚との選択的な相互作用のためのファイバーを通って及び／又はファイバーの外への流体若しくは物質の有効で効率的な前進及び／又は放出を容易にする。外部の部分３０が浸透性である必要がなく、異なる適用の使用を容易にするために十分な如何なる物質で形態化及び／又は形成することができることを注意する。例えば、皮膚に対して様々な化粧品及び／又は治療を選択的に適用することができる生地若しくは同様の構造、皮膚に対して医療品及び／又は治療を選択的に供給することができる生地若しくは同様の構造、あるいは、体温を調節することができる生地若しくは同様の構造である。したがって、内部の部分２０と外部の部分３０は、皮膚と接触するために設計された様々な着用可能な生地で使用するのに十分で、異なる適用の使用を促進する多数の異なるパターンに織ることができるか、又は、縫い込まれることができる流体を進めるファイバー１０を形成するように協同する。
【００１５】
好ましくは、伝導要素４０は、感温性の記憶合金から成るワイヤーの形を使用する。さらに、伝導要素４０は、好ましくは、伝導要素４０が電流によって加熱される場合に要素が圧縮するようにして、外部の部分３０に隣接して位置される。この圧縮作用は、内部の部分２０を通って流体あるいは物質を進ませ、並びに／又は外部の部分３０に近い皮膚と伝達及び／若しくは相互作用するその浸透性あるいは多孔性の表面を通って外部の部分３０へ流体あるいは物質を浸透させるように使用できる。好ましくは、伝導要素４０は電流がない状態で冷却する場合、要素はそれらの元来の形かつ形状に戻る。したがって、一つ以上の伝導要素４０の選択的な加熱及び冷却は、好ましくは、内部の部分２０中の流体又は物質を進めるように外部の部分３０の調整された圧縮及び緩和を可能にする。さらに、一つ以上の伝導要素４０は、好ましくは、外部の部分３０を通って内部の部分２０中の流体若しくは物質の選択的な放出又は浸透を調整するように選択的に圧縮できる。したがって、一つ以上の伝導要素４０は、好ましくは、ファイバー１０中の流体又は物質と皮膚との間の選択的な流動的な伝達をさせる。この流動性の伝達は、好ましくは、例えば、異なる化粧品、医学、健康及び／又はフィットネス治療などの様々な異なる適用を容易にする。
【００１６】
好ましくは、流体を進めるファイバー１０は、織り、縫い合わせ又は編み込むために如何なる既知の従来法を使用してからみ合わせることができ、上記に記載の特徴を達成するために十分な如何なる天然又は合成物質であり得る。ファイバー１０はまた、好ましくは、異なる用途を提供する異なる着用可能な生地及び／又は生地の組み合わせに組み込むように、異なる形状及び／又はサイズを有する。
【００１７】
図３乃至５を参照するに、参照番号１００によって一般的に表わされる本発明の第二の実例となる実施態様と一致する改善されたファイバーが示される。好ましくは、流体を進めるファイバー１００は、流動性の通過可能な内部の部分２００と、柔軟で永続性の外部の部分３００と、一つ以上の第一の伝導要素４００と、一つ以上の第二の伝導要素４１０とを有し、第一の伝導要素４００及び第二の伝導要素４１０は、電流によって加熱される場合に選択的に圧縮し、冷却される場合に選択的に緩和するように適応される。
【００１８】
好ましくは、内部の部分２００は、流体又は物質が内部の部分を通って通過又は進ませるように中空である。内部の部分２００が最小限の抵抗で流体又は物質が内部の部分を通って進ませるように十分な浸透性若しくは孔隙率を有し、内部の部分の選択的な圧縮をさせる十分な柔軟性を有する固体物質であり得ることを注意する。好ましくは、内部の部分２００は、流体又は物質が内部の部分に保持でき及び／又は内部の部分を通って進めることができるように外部の部分３００によって囲まれる。したがって、好ましくは、内部の部分２００は、上記に特定して記載された内部の部分２０と実質的に同じ特徴及び性能を有する。
【００１９】
好ましくは、外部の部分３００は、皮膚と内部の部分２００中の流体又は物質との選択的な伝達をさせるために十分な浸透性か若しくは多孔性である。外部の部分３００は、好ましくは、内部の部分２００中の流体又は物質の選択的な放出のための十分な浸透を提供し、組立及び着用中における十分な強度と柔軟性を提供する、如何なる適切な物質で成すことができる。したがって、外部の部分３００は、好ましくは、上記に特定して記載された外部の部分３０と実質的に同じ特徴及び性能を有する。外部の部分３００は、好ましくは、外部の部分３００に沿い、離れて間隔を置いて配置された一つ以上のアンデュレーション（undulation）３１０を有するという点で別個なものである。
【００２０】
好ましくは、第一の伝導要素４００と第二の伝導要素４１０の両者は、感温性の記憶合金から成るワイヤーの形を使用する。好ましくは、第一の伝導要素４００はアンデュレーション３１０に隣接し、第二の伝導要素４１０はアンデュレーション間の距離３２０に沿って外部の部分３００に隣接する。第一の伝導要素４００が電流によって加熱される場合、要素は圧縮する。この圧縮作用は、図４に示されるように、アンデュレーション３１０に内部の部分２００を通って流体又は物質の前進を選択的に制御するためのフロー・バルブの役割をさせる。一つ以上のバルブ３３０が一旦閉じると、第二の伝導要素４１０は、アンデュレーション３１０間の一つ以上の距離３２０が圧搾されるか又は圧縮される電流によって選択的に加熱できる。この圧縮作用は、好ましくは、一つ以上の液体又は物質の部分（３４０ａ、３４０ｂ）を進ませる。好ましくは、伝導要素４００及び４１０が電流の存在しない状態で冷却する場合、要素はそれらの元来の形状かつ形態に戻る。したがって、好ましくは、第一の伝導要素４００及び第二の伝導要素４１０は、内部の部分２００中の流体又は物質を選択的に進ませるように同調された手法で協同する。加えて、一つ以上の伝導要素４１０は、好ましくは、外部の部分３００を通る内部の部分２００中の流体又は物質の選択的な放出若しくは浸透を協同するように選択的に圧縮できる。好ましくは、一つ以上の伝導要素４００及び４１０は、ファイバー１００中の流体又は物質と皮膚との間の選択的で流動的な伝達をさせる。この流動性の伝達は、好ましくは、例えば、異なる化粧品、医学、健康及び／又はフィットネス治療などの様々な異なる応用を容易にする。
【００２１】
好ましくは、流体を進めるファイバー１００は、織り、縫い合わせ又は編み込むために如何なる既知の従来法を使用してからみ合わせることができ、上記に記載の特徴を達成するために十分な如何なる天然又は合成物質であり得る。ファイバー１００はまた、好ましくは、異なる用途を提供する異なる着用可能な生地及び／又は生地の組み合わせに組み込むように、異なる形状及び／又はサイズを有する。
【００２２】
したがって、本発明は、本発明の好ましい形態を特に参照して記載され、様々な変更及び修正が、ここに定義されるような本発明の趣旨及び範囲を逸脱せずに成されてよいことが明白となる。
【図面の簡単な説明】
【００２３】
【図１】本発明の第一の実例となる実施態様と一致する第一の流体を進めるファイバーの縦の平面図である。
【図２】第一の実例となる実施態様と一致する流体の前進を示す第一の流体を進めるファイバーの縦の断面図である。
【図３】本発明の第二の実例となる実施態様と一致する第二の流体を進めるファイバーの縦の断面図である。
【図４】第二の実例となる実施態様と一致する流体の前進の第一段階を示す第二の流体を進めるファイバーの縦の断面図である。
【図５】第二の実例となる実施態様と一致する流体の前進の第二段階を示す第二の流体を進めるファイバーの縦の断面図である。
【図１】
2005531697.tif 000003
【図２】
2005531697.tif 000004
【図３】
2005531697.tif 000005
【図４】
2005531697.tif 000006
【図５】
2005531697.tif 000007
【国際調査報告】
2005531697.tif 000008
2005531697.tif 000009